(57)【特許請求の範囲】
【請求項１】
スタンド（１）と、該スタンドにより第１軸（５）の回りに軸支されたピボットクランプ手段と、を有し、該クランプ手段は、ばねのような力手段（４）の作用に抗して緊張され、かつ動物が解放手段に作用すると、解放手段により第１装填位置から解放され、これによりクランプ手段は、力手段の作用により実質的に瞬時に第２位置へと揺動し、この第２位置で動物に打撃を加えてこれを殺し、前記クランプ手段には第１アーム（２）および第２アーム（３）が設けられており、前記力手段の第１固定点（８）は第１アーム（２）の第１軸（５）から遠い側の端部に設けられ、力手段の第２固定点（９）はスタンドに設けられており、力手段の２つの固定点間の力線は第１軸線（５）またはこの近傍を通り、力手段は、クランプ手段がその第１装填位置にあるときは、クランプ手段を第２位置の方向に旋回させるトルクを全く生じないか極く僅かのトルクを生じるに過ぎないように構成された、鼠およびはつか鼠等の小動物を捕獲しかつ殺す罠において、
前記解放手段は、スタンドの第２軸（７）の回りに軸支されており、餌の容器（１２）の上方のキャップ（６）と、動物によりキャップ（６）が持ち上げられるとクランプ手段の第１アーム（２）に作用する第２アーム部分（１０）とを形成していることを特徴とする罠。
【請求項２】
前記解放手段の第２アーム部分（１０）には、クランプ手段が前記第１装填位置にあるときにクランプ手段の第１アーム（２）をロックする固定部材（１１）が設けられており、
該固定部材（１１）は、キャップ（６）が動物により持ち上げられると、クランプ部材の第１アーム（２）を解放する、
ことを特徴とする、請求項１に記載の罠。
【請求項３】
前記解放手段の第２アーム部分（１０）がクランプ手段の第１アーム（２）に作用できない位置を、クランプ手段の第１アーム（２）が占めるようにするため、クランプ手段が旋回されることを防止する停止装置（１３）が設けられている、
ことを特徴とする請求項１に記載の罠。
【請求項４】
小動物を餌に案内し、より大きな動物が解放手段に作用することを防止する案内手段（１４）が設けられている、
ことを特徴とする請求項１に記載の罠。
【請求項５】
前記スタンドは、
容器（１２）から後方に延びた、前記小動物が両足を載せるためのプラットホーム（１５）を備える、
ことを特徴とする請求項１に記載の罠。
【請求項６】
前記キャップ（６）および容器（１２）は、動物に餌が見えおよび匂いが伝わるように設計されている、
ことを特徴とする請求項１に記載の罠。
【請求項７】
外側シェル（１６）が設けられており、
該シェル内には、前記罠が挿入され、
シェル（１６）には第１開口（１７）が設けられ、
該第１開口（１７）は、所望の最大サイズの動物が解放手段（６）にアクセスすることを許容するサイズを有しかつこれを許容する位置に配置され、
前記シェル（６）には更に細長い第２開口（１８）が設けられており、
該第２開口（１８）は、紐（１９）等を通すことができかつ該紐等により前記クランプ手段（３）を第１装填位置に解放可能に引っ張ることができるように構成されている、
ことを特徴とする請求項１に記載の罠。
【発明の詳細な説明】
本発明は、スタンドと、該スタンドにより第１軸の回りに軸支された枢動クランプ手段とを有し、該クランプ手段は、ばねのような力手段の作用に抗して緊張され、かつ動物が解放手段に作用すると、解放手段により第１装填位置から解放され、これによりクランプ手段は、力手段の作用により実質的に瞬時に第２位置へと揺動され、この第２位置で動物に打撃を加えてこれを殺し、クランプ手段には第１アームおよび第２アームが設けられており、力手段の第１固定点は第１アームの第１軸から遠い側の端部に設けられ、力手段の第２固定点はスタンドに設けられており、力手段の２つの固定点間の力線は第１軸またはこの近傍を通り、力手段は、クランプ手段がその第１装填位置にあるときは、クランプ手段を第２位置の方向に旋回させるトルクを全く生じないか極く僅かのトルクを生じるに過ぎないように構成された、鼠およびはつか鼠等の小動物を捕獲しかつ殺す罠（わな）に関する。
同様な罠は、長年に亘って知られている。罠は、例えば、板の形態をなすスタンドを有し、該スタンドでは、クランプ手段がコイルばねの力に抗して引っ張られて、その旋回軸の回りで装填位置に配置され、この位置で、ロックピンがクランプ手段を板に保持する。ロックピンの自由端は、例えば一片のチーズのような餌を固定する可動板の形態をなすロック手段のループ内に挿入される。
この形式の罠は、幾つかの制限および欠点を有する。このような罠は、装填が比較的困難かつ危険であり、確実に両手を必要とする。使用者の指が罠に挟まれることは頻繁に起きる。また、動物は、しばしば、注意深い行動により、罠を作動させることなく餌を食い逃げする。
従って本発明の目的は、冒頭に述べた形式の罠であって、安全に取り扱うことができ、片手で装填でき、あらゆる種類の餌（液体のような餌でもよい）を使用でき、かつ餌を食べれば確実に作動する罠を提供することにある。
本発明によれば、このような罠は、解放手段が、スタンドの第２軸の回りに軸支されており、餌の容器の上方のキャップと、動物によりキャップが持ち上げられるとクランプ手段の第１アームに作用する第２アーム部分とを形成していることに主な特徴を有する。
本発明の範囲内において、幾つかの実施例を考えることができる。１つの適当な実施例では、解放手段の第２アーム部分には、前記アームが前記第１位置にあるときにクランプ手段の第１アームをロックするロック部材が設けられており、該ロック部材は、キャップが動物により持ち上げられると、クランプ手段の第１アームを解放する。
本発明の罠の１つの適当な実施例では、前記解放手段の第２アーム部分がクランプ手段の第１アームに作用できない位置を、クランプ手段の第１アームが占めるようにするため、クランプ手段が旋回されることを防止する停止装置が設けられている。
他の１つの適当な実施例では、小動物を餌に案内し、より大きな動物が解放手段に作用することを防止する案内手段が設けられている。
容器から後方に延びるプラットホームをスタンドに設ける設計は有効である。この目的は、動物がクランプ手段により打撃を加えられる位置にあるとき、動物の前足がプラットホーム上に載るようにすることにある。
キャップおよび容器は、動物に餌が見えおよび匂いが伝わるように設計するのが有効である。
以下、本発明の実施例の一例（該例は、本発明を制限するものではない）を参照して本発明を説明する。
第１図は、本発明による罠の一実施例の一部を破断した側面図である。
第２図は、本発明による罠の別の実施例の一部を破断した側面図である。
第３図は、本発明による罠の側面図であり、案内手段を断面で示すものである。
第４Ａ図は、別の案内手段を備えた第３図と同じ罠を示す側面図である。
第４Ｂ図は、第２Ａ図のガイド手段の隔壁を示す図面である。
第５図は、本発明による罠の一部を破断した平面図である。
第６図は、本発明による罠の平面図である。
第７図は、罠の容器の方向から見た図面である。
第８図は、容器のキャップの一実施例を示す斜視図である。
第９図は、罠を収容するシェルを示す斜視図である。
第１０図は、罠を収容するシェルの別の実施例を示す斜視図である。
第１１図は、罠を収容するシェル内に罠が収容された状態を断面で示す側面図である。
第１図において、平スタンドが参照番号１で示されている。横方向の水平第１軸５の回りには、クランプ手段が軸支されている。クランプ手段は、第１軸５から延びている第１アーム２および第２アーム３を有し、両アームは、図示の罠では、ほぼ直角を形成している。図面では、クランプ手段は、コイルばね４（該コイルばねの一端は第１アーム２の外端部８に固定され、他端はスタンド１の後部９に固定されている）の張力に抗して第１装填位置にある。第２アーム３は停止装置１３に当接しており、コイルばね４の力線は、第１軸５の僅か上方（第１軸線からそれほど離れてはいない）を通っている。従って、コイルばね４は、クランプ手段を動物の方向（すなわち、クランプ手段が動物を捕獲して殺す第２位置）に旋回させる回転モーメントを全く及ぼさない。容器１２が設けられており、かつ該容器１２を覆うキャップ６が第２水平軸７の回りに軸支されている。キャップ６は第２軸線３から延びている第２アーム部分１０に連結されており、キャップ６がロックされると、第２アーム部分１０がクランプ手段の第１アーム２の上に位置しかつ該第１アーム２に接触するようになっている。ここで、動物がキャップ６を持ち上げた場合（キャップ６の持ち上げは、第７図に示すように、キャップ６と容器１２とにより形成される凹部が動物の進入方向を向くようにした設計により容易に行なわれる）を想定すると、第２アーム部分１０は、コイルばね４がその中立位置を通過するように第１アーム２を押し下げる。これと同時にコイルばね４の張力が急激に増大するため、クランプ手段がほぼ瞬間的にその第２位置にぶつかり、動物を殺す。かくして、キャップ６は、第２アーム部分１０と共に解放手段を形成する。これらは、動物に餌が見えおよび／または匂いが伝わるように設計しなければならない。第８図には、容器１２の部分３０（該部分は幅狭スロットのように形成することもできる）を動物の方向に向けて伸ばした状態が示されている。動物は、この部分３０またはキャップ６の方向のスロット内に置かれた餌に誘導され、キャップ６の下の餌を食べようとして該キャップ６を持ち上げる。
停止装置１３は、クランプ手段が不意に旋回することを防止し、これにより、解放手段の第２アーム部分１０が第１アーム２に意図的に作用できなくなる位置を、クランプ手段の第１アーム２が占めるようにすることを目的とする。スタンド１は、容器１２から後方に延びるプラットホーム１５を備えた設計になっている。この目的は、動物が、これを殺したい位置にあるとき、動物の両前足がプラットホーム１５上に載るようにすることにある。第２アーム３の外端部は、第６図および第７図に示すように、ループ状に設計するのが好ましい。この設計により、罠の取扱いが容易になる。
第２図には、本発明による罠の別の実施例が示されている。この実施例では、解放手段の第２アーム部分１０に固定部材１１が設けられており、該固定部材１１は、クランプ手段の第１アーム２が前記第１装填位置にあるときに、第１アーム２をロックする。この目的は、例えばクランプ手段の第２アーム３に後方から作用する押圧力によって、罠が不意に解除されることを防止することにある。
固定部材１１は、キャップ３が動物により持ち上げられると、クランプ手段の第１アーム２を解放する。図示の罠では、第１装填位置において、コイルばね４の力線が第１軸５の下を通っており、このため、この位置においてコイルばね４は、クランプ手段をその第２位置の方向に旋回させる、或る大きさの（ただし小さい）回転モーメントを及ぼす。従って、前記固定部材１１によってこの回転モーメントは打ち消される。
第３図には、ファンネルの形態をなすガイド手段１４が断面で示されている。
このファンネルの目的は、所望サイズの動物を容器１２およびキャップ６に案内することにある。動物が側方から餌を食べてしまうことを防止するため、ファンネルには２つの側壁３１が設けられており、第３図にはそれらのうちの一方の側壁が示されている。ファンネルおよび側壁は、動物がキャップ６を持ち上げたとき、第２アーム３を備えたクランプ手段が動物の頭部を打ち下ろすことができるように設計されている。動物が案内手段に入りながら罠を傾けることができないように、側壁につながる床を案内手段に設けることが重要である。
第４Ａ図には、案内手段の別の設計が示されている。この案内手段は、第３図に関連して説明したように、第１ファンネル部２３と、垂直方向に移動可能な横断壁２５と、罠に直接連結される第２ファンネル部２４とからなる。横断壁２５には開口３０が設けられており、該開口３０は、所望の最大サイズの動物に適合させることができる。
第９図、第１０図および第１１図には、シェル（該シェル内に罠が挿入されかつ装填される）の２つの実施例が示されている。第９図のシェル１６は、その前壁に、捕獲すべき動物の所望の最大サイズに適合する第１開口１７が設けられた設計になっている。このシェルには内側溝２６が設けられており、罠はこの溝２６に沿って奥の位置まで挿入され、ここで、嵌合手段２２により固定される。
嵌合手段２２を備えたシェルは、プラスチックで作るのが好ましい。この実施例では、比較的小さな溝１８がシェルの上壁に設けられており、この溝１８には、罠を装填するための紐１９等が通される。
第１０図に示すシェルの実施例（参照番号２７で示す）には、最大サイズの動物を捕獲させるサイズの開口２９が設けられており、また、罠を指で装填できるようにする比較的幅広の溝２８が設けられている。
【図１】
0003778570.tif 000002
【図２】
0003778570.tif 000003
【図３】
0003778570.tif 000004
【図４Ａ】
0003778570.tif 000005
【図４Ｂ】
0003778570.tif 000006
【図５】
0003778570.tif 000007
【図６】
0003778570.tif 000008
【図７】
0003778570.tif 000009
【図８】
0003778570.tif 000010
【図９】
0003778570.tif 000011
【図１０】
0003778570.tif 000012
【図１１】
0003778570.tif 000013